(57)【特許請求の範囲】
【請求項１】
左右に配置された２個の門扉パネルが中央から両側に開くようになされた落とし棒付き門扉であって、一の門扉パネルには、二の門扉パネルとの対向する端部に縦枠が設けられ、前記縦枠には二の門扉パネルと対向する端面から内側に向けて溝部が形成され、前記溝部には、落とし棒が挿通されたホルダーが収納され、且つ落とし棒の側面につまみ部が突出して形成されると共に、前記つまみ部は、ホルダーの側壁に開口されたガイド孔に沿って、所定の高さに係止される係止位置から略１８０度回転させて上下動可能となる可動位置へ移動するようになされて、つまみ部は、前記係止位置及び可動位置のいずれにおいても溝部より突出させず、係止位置から上下動させる可動位置へ移動させる際に、前記つまみ部を開口面より外方に突出させるようにして、門扉が閉じた状態では、前記つまみ部の可動位置への移動が二の門扉パネルに接触して阻止されるようになされたことを特徴とする落とし棒付き門扉。
【発明の詳細な説明】
【技術分野】
【０００１】
本発明は、左右に門扉パネルを備えた両開き型の門扉に関し、特に一方の門扉パネルに落とし棒を備えている落とし棒付き門扉に関するものである。
【背景技術】
【０００２】
一般に、門扉パネルに落とし棒が取付けられた門扉としては、例えば、一方の門扉パネルの敷地側に横断面Ｃ字状のホルダー内を取付けて落とし棒を挿通させると共に、落とし棒に設けられたつまみ部をホルダー上端に係止させて落とし棒を上げた門扉パネルが開放可能な状態と、Ｃ字部の開口隙間を通してつまみ部を下方向に移動させて落とし棒を下げた門扉パネルを開放不能な状態とするものが提案されている。
【０００３】
この門扉の落とし棒は、落とし棒を下げた門扉パネルを開放不能な状態においても、敷地外から落とし棒を操作して、落とし棒を上げた門扉パネルを開放可能な状態にすることができるため、敷地外から門扉パネルを敷地内に向けて押すと、左右の門扉パネルを錠で閉めていても、門扉パネルが開放する場合があり、その点が問題であった。
【０００４】
そこで、この問題を解決するために、対向する扉体の一方の扉体に設けられた落とし棒と、前記落とし棒から突出された操作体を備えた落とし棒装置において、前記操作体には二個の扉体との間の召し合わせに介在させうる回り止め部を設けると共に、一方の扉体には召し合わせに回り止め部を介在させた状態の操作体の上り止め部を設けた落とし棒装置が提案されている。
【０００５】
この落とし棒装置は、扉体施錠時には、上り止め部により操作体の上昇も規制されているので、落し棒を持ち上げることは不可能であり、且つ両扉体を開くことはできず、防犯性は優れたものとなる。
【特許文献１】実開平５−４０６００号公報
【発明の開示】
【発明が解決しようとする課題】
【０００６】
しかしながら、前記の落とし棒装置には次のような問題点があった。すなわち、召し合わせの隙間幅は、回り止め部が挿入され且つ挿入後は回動しない程度の範囲で間隔と保持する必要があり、施工誤差等や、扉体が自重によって経時的に傾いて間隔が狭くなると、回り止め部が対向側の扉体と擦れたり、召し合わせに介在させにくくなったりすることにより扉体の開閉に問題が生じる恐れがあった。又、落とし棒装置は左右いずれかの扉体に取付けられるため、左右用にそれぞれ用意する必要があり、部品数が多くなる点も問題であった。更に、落とし棒装置の大部分が外部に露出しており、意匠性の点も問題であった。
【０００７】
本発明は、前記の如き問題点を解消し、落とし棒の大部分が門扉パネルの内部に収納されると共に、門扉パネルが閉じた時には、落とし棒の操作ができないようになされた落とし棒の取付構造を提供せんとするものである。
【課題を解決するための手段】
【０００８】
上記目的を達成するために、本発明は次のような構成としている。
すなわちこの発明に係る落とし棒付き門扉は、左右に配置された２個の門扉パネルが中央から両側に開くようになされた落とし棒付き門扉であって、一の門扉パネルには、二の門扉パネルとの対向する端部に縦枠が設けられ、前記縦枠には二の門扉パネルと対向する端面から内側に向けて溝部が形成され、前記溝部には、落とし棒が挿通されたホルダーが収納され、且つ落とし棒の側面につまみ部が突出して形成されると共に、前記つまみ部は、ホルダーの側壁に開口されたガイド孔に沿って、所定の高さに係止される係止位置から略１８０度回転させて上下動可能となる可動位置へ移動するようになされて、つまみ部は、前記係止位置及び可動位置のいずれにおいても溝部より突出させず、係止位置から上下動させる可動位置へ移動させる際に、前記つまみ部を開口面より外方に突出させるようにして、門扉が閉じた状態では、前記つまみ部の可動位置への移動が二の門扉パネルに接触して阻止されるようになされたことを特徴とするものである。
【発明の効果】
【０００９】
本発明によれば、一の門扉パネルの縦枠には二の門扉パネルと対向する端面から内側に向けて溝部が形成され、前記溝部には、落とし棒が挿通されたホルダーが収納されているので、落とし棒の取付構造を左右用として共用することが可能であり、又落とし棒の大部分は外部から見えず意匠性を高めることができる。加えて、落とし棒の側面につまみ部が突出して形成されたつまみ部は、ホルダーの側壁に開口されたガイド孔に沿って、所定の高さに係止される係止位置から上下動可能となる可動位置へ移動するようになされ、つまみ部は、前記係止位置においては溝部より突出させず、上下動させる際に、前記つまみ部を開口面より外方に突出させるようにして、門扉が閉じた状態では、前記つまみ部の可動位置への移動が二の門扉パネルに接触して阻止されるようになされているので、門扉パネルが閉じた状態では、係止位置にあるつまみ部を移動させても、つまみ部先端が二の門扉パネルに接触してそれ以上の移動が阻止され可動位置まで移動できないので、外部から落とし棒を操作することができず、防犯性を高めることができる。
【発明を実施するための最良の形態】
【００１０】
次に、本発明を実施するための最良の形態について図面を参照し、具体的に説明する。
【００１１】
すなわち、図１は本発明に係る落とし棒付き門扉において実施の第一形態を示す正面図、図２は図１のＡ−Ａ断面における主要部の拡大横断面図、図３は図２のヒンジの説明図、図４は一方の門扉パネルの正面図、図５は図４のＢ−Ｂ断面における主要部の拡大説明図、図６は図１の他方の門扉パネルの主要部の説明図、図７は図６のＣ−Ｃ断面における横断面図、図８は図６の主要部の拡大側面図、図９は図８の主要部の縦断面図、図１０は落とし棒の説明図、図１１は図１のＦ−Ｆ断面における主要部の横断面図、図１２は図１の変形を示す正面図、図１３は本発明に係る落とし棒の取付構造において実施の第二形態を示す正面図、図１４は図１３のＧ−Ｇ断面における主要部の拡大横断面図である。
【００１２】
図面において、１は支柱、２は支柱１に取付けられた縦框、３、４は縦框２に取付けられた門扉パネル、５は門扉パネル４に取付けられた落とし棒であり、本発明に係る落とし棒付き門扉Ｐは、支柱１、縦框２、門扉パネル３、及び落とし棒が取付けられた門扉パネル４から主に構成されるものである。
【００１３】
図１〜１１は本発明に係る落とし棒付き門扉Ｐの実施の第一形態を示す説明図である。先ず、門扉Ｐは、図１、２に示すように、支柱１の一側面側に塀パネルＨが取付けられ、支柱１の他側面側に縦框２を介して門扉パネル３、４が取付けられると共に、塀パネルＨ、支柱１、縦框２、及び門扉パネル３、４が同一面内に位置するものである。支柱１は、金属製で断面が矩形に形成された管状体であり、支柱１の上端部はキャップ１１で覆われている。
【００１４】
支柱１は、縦框２を介して門扉パネル３、４が取付けられることを考慮すると金属製のものを用いるのが好ましく、一般にはアルミニウム合金、ステンレス、鋼材等のパイプ形状の長尺体を適宜長さに切断したものや、それらにめっき、塗装を施したもの等を好適に用いることができる。
【００１５】
縦框２は、支柱１と同様に金属製で断面が矩形に形成された管状体であり、一側面側で支柱１に連結されると共に、他側面側に門扉パネル３、４が取付けられたものである。
【００１６】
縦框２は、門扉パネル３、４が取付けられることを考慮すると金属製のものを用いるのが好ましく、一般にはアルミニウム合金、ステンレス、鋼材等のパイプ形状の長尺体を適宜長さに切断したものや、それらにめっき、塗装を施したもの等を好適に用いることができる。
【００１７】
次に、支柱１と縦框２との連結構造について詳しく説明する。図２に示すように、支柱１には支え部材１２が取付けられ、縦框２の側面には取付部材２１が取付けられ、支え部材１２に取付部材２１が固定されることによって、縦框２が支柱１に連結される。
【００１８】
支え部材１２は、本実施形態では、支柱１に固定される縦長板部１３と、この縦長板部１３の前後端部から縦框２に向けて略垂直に突設された前突片１４と、前突片１４より左右方向に幅広となされて並行に突設された後突片１５とからなる断面コ字状に形成されたものである。又、取付部材２１は、本実施形態では、縦框２に固定される縦長板部２２と前記縦長板部２２の前側端部から支柱１に向けて略垂直に突設された取付片２３とからなる。そして、取付片２３が前突片１４の前面側に配置され、取付片２３及び前突片１４を貫通する固定ボルトＢを前突片１４の背面側に固定されたナットＣに螺着させることにより、取付片２３が前突片１４に固定される。この構造により、縦框２を支柱１の前面側から取付けることができる。又、取付片２３には固定ボルトＢが挿通される横長孔（図示せず）が設けられている。これにより、支柱１に対して縦框２は左右方向に位置調整することが可能となる。更に、取付片２３が前突片１４に固定された際、後突片１５は縦框２の背面まで延びているので、支柱１と縦框２の背面側の隙間を隠蔽することができる。加えて、取付片２３の前面には上下方向に延びるカバー片１６が取付けられ、取付片２３と前突片１４との固定箇所を隠蔽している。尚、カバー片１６の幅寸法を後突片１５と同じ幅とすると、支柱１及び縦框２の箇所において外観上表裏の違いが目立ちにくくなり意匠性をより高めることができる。
【００１９】
支え部材１２、及び取付部材２１は、支柱１と縦框２とを連結する部材であることを考慮すると金属製のものを用いるのが好ましく、一般にはアルミニウム合金、ステンレス、鋼材等のパイプ形状の長尺体を適宜長さに切断したものや、それらにめっき、塗装を施したもの等を好適に用いることができる。支え部材１２、及び取付部材２１は、支柱と縦框２とを強固に連結できるものであれば本形態に限られるものではない。例えば、支柱１と縦框２との周りを巻回して固定するようなバンド状となされたものでもよく、支え部材１２又は取付部材２１の一方のみを用いて連結するものでもよい。
【００２０】
隣合う縦框２の上部には、図１に示すように、横框２４が架設されている。これにより、門扉パネル３から受ける荷重によって、縦框２は長期的には門扉パネル３に向けて傾く恐れがあるが、横框２４によって前記傾きを抑えることができ、門扉パネル３、４の隙間が狭くなったり互いに接して門扉パネル３、４の開閉に不具合が生じたりするような問題は起こりにくくなる。
【００２１】
横框２４は、縦框２が門扉パネル３側に倒れるのを抑えることを考慮すると、金属製であるものを用いるのが好ましく、一般にはアルミニウム合金、ステンレス、鋼材等の長尺体を適宜長さに切断したものや、それらにめっき、塗装を施したもの等を好適に用いることができる。尚、上下方向の撓みを抑えるために角パイプ形状や断面コ字状のものを用いてもよい。
【００２２】
門扉パネル３は、図１、２、４に示すように、パネル３１とパネル３１の周縁部に沿って取付けられた枠材３２とを備え、縦框２に取付けられたものである。本実施形態おいて門扉パネル３は、図２に示すように、前後に間隔をあけて配置された平板状のパネル３１を枠材３２で支持した二重壁構造となされたものである。この構造により、門扉の正面側或いは背面側から生じた騒音を遮り或いは吸収することができる。尚、前後のパネル３１の間に形成された空間部にグラスウール等の吸音材を配置してもよく、更に、騒音が発生する側に配置されたパネル３１にスリットや透孔等を設けて、前記吸音材で騒音を効果的に吸収するような構造としてもよい。
【００２３】
パネル３１は、本実施形態においては、合成樹脂からなるシートの表裏に金属箔を貼着させた積層板であり、金属箔の表面には塗装が施されている。パネル３１は、本実施形態に限られるものではない。例えば、遮音性の点を考慮すると、塀パネルＨにパネル３１を１個のみ用いたものでもよく、又積層板の代わりに金属板を用いてもよく、或いは透明板や乳白色の樹脂板を用いて透光性を付与させてもよい。
【００２４】
枠材３２は、縦枠３３と横枠３４とを四角形状に組み合わせて形成されると共に、その内側にパネル３１を固定するものである。図２に示すように、縦枠３３は、平板状の基板部３５から長手方向に沿って溝部３６が並設され、この溝部３６にパネル３１の側端部が挿入されている。横枠３４も縦枠３３と同様な形態である。
【００２５】
次に、門扉パネル３の組立構造について詳しく説明する。図５は、図４のＢ−Ｂ断面における主要部の拡大説明図であり、（ａ）は縦枠３３の溝部３６の形態を示す縦枠３３の拡大側面図、（ｂ）はパネル３１の上下端部が横枠３４に挿入された状態における主要部の縦断面図である。（ａ）に示すように、縦枠３３の上下端部の溝部３６は、内側の縦壁部の上下端部がそれぞれ切り欠かれると共に、溝部３６の外側において縦壁部の内側面側がそれぞれ一部切り欠かれて、溝部３６の間に基板部３５を一端とする縦断面矩形状の空間部３７が形成されている。そして、溝部３６にパネル３１の側端部が挿入され、空間部３７に横枠３４の側端部が配置されると共に、パネル３１及び横枠３４の側端部は、それぞれ基板部３５に当接されている。更に縦枠３３の基板部３５から横枠３４に形成されたビスホール３８に向けてビスが螺着され、縦枠３３と横枠３４とが接合されている。この構造により、門扉パネル３の横幅を短くしたいときは、門扉パネル３から一方の縦枠３３を外し、パネル３１と横枠３４との側端部の面を合わせて切断し、その切断面を新たな側端部として再び縦枠３３を取付ければよいので、施工現場においても門扉パネル３の横幅の調整が容易であり、又、切断面は縦枠３３に隠蔽されるので、意匠性の低下を防ぐことができる。
【００２６】
枠材３２は、本実施形態においては、アルミニウム合金の押出型材からなる長尺体を適宜長さに切断したものであり、上記の如く、設置現場での切断作業が容易となるので好ましい。尚、枠材３２の材質は、大きな風圧が加わるパネル３１を支持することを考慮すると金属製のものを用いるのが好ましく、一般にはアルミニウム合金、ステンレス、鉄鋼等の形材やプレス成形材からなる長尺体を適宜長さに切断したものや、それらにめっき、塗装を施したもの等を好適に用いることができる。
【００２７】
次に、縦框２と門扉パネル３との取付構造について詳しく説明する。図２に示すように、門扉パネル３はヒンジ６を介して縦框２に取付けられ、門扉パネル３は、このヒンジ６を軸として回動可能となされている。
【００２８】
図３は、ヒンジ６の一実施形態を示すものであり、（ａ）は平面図、（ｂ）は正面図、（ｃ）は（ａ）のビス孔付近の拡大横断面図である。ヒンジ６は、本実施形態では、上下方向に延び上部が縮径された軸棒６１と軸棒６１の下部に取付けられ縦框２の側面に固定される下蝶番板６２と、軸棒６１の上部に挿通される円筒部６３と、円筒部６３から側方に突出されて門扉パネル３の縦枠３３に固定される上蝶番板６４とを備えたものである。そして、上蝶番板６４は、円筒部６３を介して軸棒６１を軸心に回動可能となされたものである。
【００２９】
次に、下蝶番板６２を縦框２に固定する固定方法について詳しく説明する。本実施形態において、下蝶番板６２には、固定用の皿ビスＳが貫通するビス孔６５が設けられている。ビス孔６５の形状は、（ｃ）に示すように、皿ビスＳの頭部の円錐形状に合わせて下蝶番板６２の表裏両面から内側に向けて縮径する２個の円錐台状部を突き合わせた形態である。又、これにより、下蝶番板６２の表裏何れの面からでも皿ビスＳで固定することができる。更に、上蝶番板６４にも同様なビス孔６５が形成されているので、例えば縦框２に対して門扉パネル３の開放方向を正面側から背面側に変更しても別のヒンジを用意する必要はなく、ヒンジ６を強固に取付けることができる。
【００３０】
図６は、図１の門扉パネル４の説明図であり、（ａ）は門扉パネル３側の主要部の側面図、（ｂ）は主要部の正面図である。門扉パネル４は、門扉パネル３と左右一対に取付けられるものであり、前記門扉パネル３に対して落とし棒５が取付けられている点が異なり、又門扉パネル３、４には、一方に錠が取付けられ、他方に錠受けが取付けられたものであるが、他の形態は門扉パネル３と同様である。
【００３１】
すなわち、門扉パネル４は、パネル本体４１とパネル本体４１の周縁部に沿って取付けられた枠材４２とを備え、縦框２に取付けられたものである。枠材４２は、門扉パネル４の自由端側の端部に縦枠４３を備えている。
【００３２】
図７は、図６のＣ−Ｃ断面を示す拡大縦断面図である。縦枠４３は、横断面矩形状で内部に中空部が形成されたものであり、一方の側端部は門扉パネル３に相対して配置されると共に、他方の側端部にはパネル本体４１の側端部が挿入される挿入溝が形成され、更に、下部には落とし棒５が下方向に出退可能に収納されている。
【００３３】
又、縦枠４３の下部には、門扉パネル３と相対する端面から内側に向けて溝部４４が設けられている。溝部４４は、前記端面側に開口した横断面コ字状に形成されたものであり、溝部４４の両側壁部の外周面は固定ビスを介して対向する縦枠４３の内側壁部に固定されている。更に、溝部４４には、落とし棒５を支持するためのホルダー７が取付けられている。
【００３４】
落とし棒５の側面には、つまみ部５１が突出している。前記つまみ部５１は、保持部７２の側壁に開口されたガイド孔７３を通って保持部７２の外方に延びている。これにより、落とし棒５はつまみ部５１を介して保持部７２に支持される。つまみ部５１は、本実施形態では、つまみ部５１の基端側が落とし棒５に螺着されたものであるが、つまみ部５１と落とし棒５とを接着等の手段で連結したものでもよい。
【００３５】
ホルダー７は、溝部４４の底部に固定される縦板部７１と溝部４４内に配置された保持部７２とを備えている。保持部７２の内部には、落とし棒５の外径よりやや大きくなされた縦孔部が上下方向に形成され、この縦孔部内に落とし棒５が挿通されている。
【００３６】
ホルダー７は、本実施形態では、図７に示すように、縦板部７１と保持部７２との間は連結片８によって連結されている。連結片８は、縦板部７１の横方向の中央部から保持部７２に向けて略垂直に突設されたものである。これにより、作業者が落とし棒５のつまみ部５１を摘んで操作する際に、つまみ部５１の奥まで指が入るため操作しやすくなる。
【００３７】
図８〜１１は、落とし棒５とホルダー７との関係を示す説明図であり、図８は溝部４４の開口面側から見た拡大側面図、図９は図８の拡大縦断面図であり、（ａ）はＤ−Ｄ断面、（ｂ）はＥ−Ｅ断面を示すものである。保持部７２のガイド孔７３は、本実施形態では、門扉Ｐの前面側に形成されて上下に延びる縦長孔部７４と、この縦長孔部７４の上下端部から溝部４４の開口側を通って門扉Ｐの背面側に達する上下の横長孔部７５、７６を備え、更に横長孔部７５の先端はつまみ部５１が保持される鉤部７７が下方向に延設されている。
【００３８】
図１０は、落とし棒５の高さを変える際、つまみ部５１の位置関係を説明したものである。つまみ部５１は、図９の（ａ）及び図１０の（ａ）に示される下横長孔部７６から、図９（ｂ）及び図１０の（ｂ）、（ｃ）に示される縦長孔部７４に沿って、図９の（ａ）及び図１０の（ｄ）に示される上横長孔７５まで往復可能となされている。そして、つまみ部５１は、下横長孔部７６に位置している時は、落とし棒下端５２が地表に設けられた落とし棒受け部５３に収納されることにより門扉パネル４が回動不能となり、つまみ部５１が上横長孔部７５に位置している時は、落とし棒下端５２が地表から離れ、門扉パネル４が開放可能になされている。
【００３９】
図１１は、図１のＦ−Ｆ断面における主要部の横断面図であり、つまみ部５１が、図１０において、（ａ）から（ｂ）に移動する際の可動範囲を説明するものである。つまみ部５１は、図１０の（ａ）に対応する（イ）の位置から、図１０の（ｂ）に対応する（ニ）の位置まで移動する際、つまみ部先端５４は、（ロ）、（ハ）に示すように溝部４４の開口面より外方に突出される。従って、門扉Ｐが閉じた状態においてつまみ部５１が（イ）の位置に配置されていれば、外部からの衝撃が加わった場合、或いは部外者や子供等が門扉パネル４の下方に露出した落とし棒５を操作した場合に、つまみ部５１が係止位置から可動位置に向けて移動しても、（ロ）に示すように、つまみ部先端５４が門扉パネル３に接触して可動位置への移動が阻止されるので、つまみ部５１は係止位置に留まり門扉Ｐを開放させず防犯性を高めることができる。更に、門扉Ｐが閉じた状態では、つまみ部５１及びホルダー７は外部からは見えにくいため、防犯性をより高め、意匠性も高めることができる。
【００４０】
又、つまみ部５１は、上横長孔部７５の鉤部７７に位置していれば、外部から衝撃が加わっても、可動位置には移動しにくいため、落とし棒５が不用意に落下するような不具合を防止することができる。
【００４１】
つまみ部５１は、図１１において、門扉Ｐを閉めた状態で、（イ）から（ニ）に向けて移動させる際、溝部４４の開口面から略垂直に突出される位置（ハ）より（イ）の位置に寄った箇所で門扉パネル３に接触するように形成するのが好ましい。本実施形態においては、（ロ）の位置である。これにより、施工誤差や経年的な影響により門扉パネル３、４の間隔が離れる方向に変形した場合でも、つまみ部先端５４を門扉パネル３に接触させて、つまみ部５１の前記移動を阻止することができ、落とし棒５の高さを保持することができる。
【００４２】
落とし棒５は、ガイド孔７３を介してつまみ部５１を溝部４４の開口面から突出させない係止位置に配置可能となされると共に、つまみ部５１を係止位置から可動位置に移動する際に、つまみ部先端５４が溝部４４の開口面から外方に突出される形態であって、つまみ部先端５４を突出させた状態を経由した後、前記つまみ部５１を溝部４４より突出させない状態に移動させ、次いで上下方向に移動可能となされている。すなわち、本実施形態の如く、つまみ部５１を係止位置から略１８０度回転させて、つまみ部を溝部４４より突出させた状態を経由すると共に、再び溝部４４内に収められ、その状態で前記つまみ部５１を上下方向に移動させるようになされている。
【００４３】
尚、落とし棒５は、本実施形態においては、縦枠４３の上部にも取付けられている。枠材４３の下部に取付けられた落とし棒５と比べて、上部の落とし棒５は、上下の位置関係が反転している点、落とし棒受け部５３の上端が縦框２の上部に架設された横框２４の下部に設けられた孔部（図示せず）に挿通される点が異なるが、その他の形態は、前記の下部の落とし棒５と同様な形態である。上部の落とし棒５は、外観ではほとんど見えないため、下部の落とし棒５に比べて防犯性をより高めることができる。そして、落とし棒５を上下に設けることにより、防犯性を更に高めることができ、加えて、門扉パネル４にかかる風荷重等をより効果的に支えることができる。
【００４４】
本実施形態において、落とし棒５が取付けられた門扉パネルは門扉パネル４であるが、落とし棒５を門扉パネル３側に取付けてもよい。その際は、門扉パネル３と門扉パネル４、或いは縦枠３３と縦枠４３とが左右入れ替え可能な前後対して対称形状となされていれば、取り替え作業が容易となる。
【００４５】
図１２は、門扉Ｐの変形を示すものである。本実施形態に係る門扉Ｐは、図１〜１１に示された門扉Ｐと比べて、主に門扉パネル３、４より上方の構造が異なるものであり、その他の点は、図１〜１１に示された門扉Ｐと同様である。
【００４６】
すなわち、図１２に示された門扉Ｐは、門扉パネル３の高さに比べて、塀パネルＨの高さが高いものであり、左右方向の高さを揃えるために、門扉パネル３の上方に調整パネルＴが位置させたものである。この調整パネルＴは、縦框２の横框２４の上方に配置されると共に支柱１の間に架設されたものである。
【００４７】
図１３、１４は、門扉Ｐの実施の第二形態の説明図であり、図１３は正面図、図１４は図１３のＧ−Ｇ断面における主要部の拡大横断面図である。本実施形態に係る門扉Ｐは、図１〜９に示された門扉と比べて、主に支柱１と縦框２との連結構造が異なるものであり、その他の点は、図１〜９に示された門扉Ｐと同様である。
【００４８】
すなわち、図１１、１２に示された門扉Ｐは、支柱１の前面側に塀パネルＨと縦框２を介して門扉パネル３、４が取付けられ、塀パネルＨ、縦框２、及び門扉パネル３、４が同一面内に配置されたものである。支柱１の前面には、連結部材（図示せず）を介して塀パネルＨが取付けられている。
【００４９】
次に、支柱１に対する縦框２の取付構造に関して、図２に示された門扉Ｐとの違いを詳しく説明する。図支え部材１２は、本実施形態では、支柱１の側面に固定される縦長板部１３と、この縦長板部１３の前端部から縦框２側に向けて略垂直に突設された前突片１４とからなる断面Ｌ字状に形成されたものである。取付部材２１は、本実施形態では、縦框２の側面に固定される縦長板部２２と前記縦長板部２２の前後端部から塀パネルＨ側に向けて略垂直に突設された取付片２３とからなる。後取付片２３が前突片１４の前面側に配置され、取付片２３及び前突片１４をボルト・ナットで螺着させることにより、取付片２３が前突片１４に固定される。尚、本実施形態においては、前取付片２５の背面側に塀パネルＨの端部が配置されたものである。
【００５０】
尚、本実施形態において、門扉パネル３の高さに比べて、塀パネルＨの高さが高い場合は、図１０に示される門扉Ｐと同様に調整パネルＴを用いて、門扉パネル３と塀パネルＨとの高さを揃えることができる。
【図面の簡単な説明】
【００５１】
【図１】本発明に係る落とし棒付き門扉において実施の第一形態を示す正面図である。
【図２】図１のＡ−Ａ断面における主要部の拡大横である。
【図３】図２のヒンジの説明図である。
【図４】一方の門扉パネルの正面図である。
【図５】図４のＢ−Ｂ断面における主要部の拡大説明図
【図６】図１の他方の門扉パネルの主要部のである。
【図７】図６のＣ−Ｃ断面における横断面図である。
【図８】図６の主要部の拡大側面図である。
【図９】図８の主要部の縦断面である。
【図１０】落とし棒の説明図である。
【図１１】図１のＦ−Ｆ断面における主要部の横断面図である。
【図１２】図１２は図１の変形を示す正面図である。
【図１３】本発明に係る落とし棒付き門扉において実施の第二形態を示す正面図である。
【図１４】図１３のＧ−Ｇ断面における主要部の拡大横断面図である。
【符号の説明】
【００５２】
１    支柱
２    縦框
２４  横框
３    門扉パネル
３１  パネル
３２  枠材
４    門扉パネル
４２  枠材
４３  縦枠
４４  溝部
５    落とし棒
５１  つまみ部
５４  つまみ部先端
６    ヒンジ
７    ホルダー
７３  ガイド孔
７４  縦長孔部
７５  上横長孔部
７６  下横長孔部
Ｐ    落とし棒付き門扉
【図１】
0005341368.tif 000002
【図２】
0005341368.tif 000003
【図３】
0005341368.tif 000004
【図４】
0005341368.tif 000005
【図５】
0005341368.tif 000006
【図６】
0005341368.tif 000007
【図７】
0005341368.tif 000008
【図８】
0005341368.tif 000009
【図９】
0005341368.tif 000010
【図１０】
0005341368.tif 000011
【図１１】
0005341368.tif 000012
【図１２】
0005341368.tif 000013
【図１３】
0005341368.tif 000014
【図１４】
0005341368.tif 000015